(57)【要約】【課題】秘匿性を維持しつつ、情報開示が必要な閲覧者には必要な情報を公開すること。【解決手段】介護記録閲覧装置１００は、介護記録を表示する場合に、閲覧者種別と閲覧目的を受け付ける。そして、介護記録閲覧装置１００は、閲覧者種別と閲覧目的との組み合わせに応じて、閲覧レベルを特定し、閲覧レベルに応じて、介護記録の文章の一部を抽象的な表現や黒塗りに段階的に置き換える。このため、介護記録閲覧装置１００によれば、秘匿性を維持しつつ、情報公開が必要な閲覧者には必要な情報を公開できる。【選択図】図１
2012208703.tif 000002
【特許請求の範囲】
【請求項１】
コンピュータに、
記憶装置に記憶された介護記録を閲覧する閲覧者の種別または閲覧の目的を受け付け、
閲覧者の種別または閲覧の目的に対応する閲覧レベルを導く閲覧レベル判定テーブルに基づいて、前記受け付けた閲覧者の種別または閲覧の目的から閲覧レベルを特定し、
閲覧レベルに対応する秘匿範囲および秘匿処理内容を管理する閲覧制御テーブルに基づいて、特定した閲覧レベルから秘匿範囲と秘匿処理内容を抽出し、
抽出した秘匿範囲と秘匿処理内容に基づいて、前記介護記録の開示具合が異なる置換を行い、
置換を行った介護記録を出力する
各処理を実行させることを特徴とする介護記録閲覧プログラム。
【請求項２】
前記介護記録を出力する処理は、特定された閲覧レベルに基づいて、前記介護記録に含まれる単語または文章を抽象的な表現に段階的に置換することを特徴とする請求項１に記載の介護記録閲覧プログラム。
【請求項３】
前記介護記録を出力する処理は、特定された閲覧レベルに基づいて、前記介護記録に含まれる単語または文章を隠匿することを特徴とする請求項１または２に記載の介護記録閲覧プログラム。
【請求項４】
前記記憶装置は、元の単語と、前記閲覧レベルに対応する元の単語を推測可能な単語または推測不可能な単語とを対応づけて記憶する単語置換テーブルを更に記憶し、
前記介護記録に含まれる置換後の単語が選択され、該単語の変換要求を受け付けた場合には、選択された単語と前記単語置換テーブルとを基にして、選択された単語よりもより元の単語の意味が推定可能な単語に段階的に変換する処理を更にコンピュータに実行させることを特徴とする請求項１、２または３に記載の介護記録閲覧プログラム。
【請求項５】
記憶装置に記憶された介護記録を閲覧する閲覧者の種別または閲覧の目的を受け付け、閲覧者の種別または閲覧の目的に対応する閲覧レベルを導く閲覧レベル判定テーブルに基づいて、前記受け付けた閲覧者の種別または閲覧の目的から閲覧レベルを特定する特定部と、
前記閲覧レベルに対応する秘匿範囲および秘匿処理内容を管理する閲覧制御テーブルに基づいて、特定した閲覧レベルから秘匿範囲と秘匿処理内容を抽出し、抽出した秘匿範囲と秘匿処理内容に基づいて、前記介護記録の開示具合が異なる置換を行い、置換を行った介護記録を出力する置換部と
を有することを特徴とする介護記録閲覧装置。
【請求項６】
コンピュータが実行する介護記録閲覧方法であって、
記憶装置に記憶された介護記録を閲覧する閲覧者の種別または閲覧の目的を受け付け、
閲覧者の種別または閲覧の目的に対応する閲覧レベルを導く閲覧レベル判定テーブルに基づいて、前記受け付けた閲覧者の種別または閲覧の目的から閲覧レベルを特定し、
閲覧レベルに対応する秘匿範囲および秘匿処理内容を管理する閲覧制御テーブルに基づいて、特定した閲覧レベルから秘匿範囲と秘匿処理内容を抽出し、
抽出した秘匿範囲と秘匿処理内容に基づいて、前記介護記録の開示具合が異なる置換を行い、
置換を行った介護記録を出力する
各処理を実行することを特徴とする介護記録閲覧方法。
【発明の詳細な説明】
【技術分野】
【０００１】
本発明は、介護記録閲覧プログラム等に関する。
【背景技術】
【０００２】
介護や医療サービスの分野において、ヘルパーが入所者に介護、医療行為を行った場合には、入所者に対して行った介護、医療行為等の履歴を介護記録として介護看護ＤＢ（Data  Base）に記録する。サービス事業者は、上記の介護看護ＤＢを管理し、必要に応じて、介護看護ＤＢの介護記録を入所者本人や、家族、監査を行う市役所の職員、入所者に関わりのない第三者など、様々な閲覧者に公開する。
【０００３】
ここで、介護記録には、多くの個人情報が含まれている。例えば、個人情報には、収入、生活嗜好、家族情報など秘匿性の高い情報も含まれる。このため、従来技術では、介護記録を第三者に公開する場合には、介護記録に含まれる秘匿性の高い文章や単語を黒く塗りつぶすなどの対策を行っている。
【先行技術文献】
【特許文献】
【０００４】
【特許文献１】特開２００５−１８２２０号公報
【特許文献２】特開２００２−８４４１０号公報
【発明の概要】
【発明が解決しようとする課題】
【０００５】
しかしながら、上述した従来技術では、介護記録を表示する場合に、秘匿性を維持しつつ、情報開示が必要な閲覧者には必要な情報を公開することができないという問題があった。
【０００６】
閲覧者が第三者に限定されている場合であれば、従来技術のように、秘匿性の高い文章や単語を黒く塗りつぶせば、秘匿性を保つことができる。しかし、閲覧者の種別や目的に応じて、秘匿すべき範囲や内容はまちまちであるため、秘匿性の高い文章や単語を黒く塗りつぶせばよいというものではない。
【０００７】
例えば、閲覧者が監査を行う市役所の職員であれば、介護記録を全て公開することになる。また、閲覧者によっては、介護記録の文章表現をぼかして文意のみ伝えるようにする場合もあり得る。
【０００８】
閲覧者の種別や目的に応じて、手作業で介護記録の文章の変換、黒塗りなどを行うことも考えられるが、介護記録は膨大なものであり、閲覧者の種別、目的も多種多様なため、現実的ではない。
【０００９】
開示の技術は、上記に鑑みてなされたものであって、秘匿性を維持しつつ、情報開示が必要な閲覧者には必要な情報を公開することができる介護記録閲覧プログラム、介護記録閲覧装置および介護記録閲覧方法を提供することを目的とする。
【課題を解決するための手段】
【００１０】
開示の介護記録閲覧プログラムは、コンピュータに、記憶装置に記憶された介護記録を閲覧する閲覧者の種別または閲覧の目的の情報に基づいて、閲覧レベルを特定させる。また、開示の介護記録閲覧プログラムは、コンピュータに、特定した閲覧レベルに基づいて、前記介護記録の開示具合が異なる置換を行い、置換を行った介護記録を出力させる。
【発明の効果】
【００１１】
開示の介護記録閲覧プログラムによれば、秘匿性を維持しつつ、情報開示が必要な閲覧者には必要な情報を公開することができるという効果を奏する。
【図面の簡単な説明】
【００１２】
【図１】図１は、本実施例にかかる介護記録閲覧装置の構成を示す図である。
【図２】図２は、ＯＰＤＢのデータ構造の一例を示す図である。
【図３】図３は、入所者ＤＢのデータ構造の一例を示す図である。
【図４】図４は、介護看護ＤＢのデータ構造の一例を示す図である。
【図５】図５は、単語置換テーブルのデータ構造の一例を示す図である。
【図６】図６は、閲覧レベル判定テーブルのデータ構造の一例を示す図である。
【図７】図７は、閲覧制御テーブルのデータ構造の一例を示す図である。
【図８】図８は、類似単語テーブルのデータ構造の一例を示す図である。
【図９】図９は、閲覧履歴情報のデータ構造の一例を示す図である。
【図１０】図１０は、介護記録入力画面の一例を示す図である。
【図１１】図１１は、閲覧要求画面の一例を示す図である。
【図１２】図１２は、置換前の置換対象介護記録と置換後の置換対象介護記録との関係の一例を示す図である。
【図１３】図１３は、変換部の処理の一例を示す図である。
【図１４】図１４は、介護記録の入力を受け付ける処理の処理手順を示すフローチャートである。
【図１５】図１５は、介護記録を表示する処理の処理手順を示すフローチャートである。
【図１６】図１６は、介護記録閲覧プログラムを実行するコンピュータの一例を示す図である。
【発明を実施するための形態】
【００１３】
以下に、本願の開示する介護記録閲覧プログラム、介護記録閲覧装置および介護記録閲覧方法の実施例を図面に基づいて詳細に説明する。なお、この実施例によりこの発明が限定されるものではない。
【実施例】
【００１４】
本実施例にかかる介護記録閲覧装置の構成について説明する。図１は、本実施例にかかる介護記録閲覧装置の構成を示す図である。図１に示すように、この介護記録閲覧装置１００は、入力部１１０、表示部１２０、記憶部１３０、制御部１４０を有する。
【００１５】
入力部１１０は、介護記録等の情報を介護記録閲覧装置１００に入力するための入力装置である。例えば、入力部１１０は、キーボード、マウス、タッチパネル等に対応する。オペレータなどは、入力部１１０を操作して、ログインし、入所者の介護記録を入力する。
【００１６】
表示部１２０は、介護記録等の情報を表示する表示装置である。例えば、表示部１２０は、ディスプレイやタッチパネルに対応する。
【００１７】
記憶部１３０は、ＯＰＤＢ（Data  Base）１３１、入所者ＤＢ１３２、介護看護ＤＢ１３３、単語置換テーブル１３４を記憶する。また、記憶部１３０は、閲覧レベル判定テーブル１３５、閲覧制御テーブル１３６、類似単語テーブル１３７、閲覧履歴情報１３８を記憶する。この記憶部１３０は、例えば、ＲＡＭ（Random  Access  Memory）、ＲＯＭ（Read  Only  Memory）、フラッシュメモリ（Flash  Memory）などの半導体メモリ素子、またはハードディスク、光ディスクなどの記憶装置に対応する。
【００１８】
ＯＰＤＢ１３１は、オペレータに関する各種の情報を保持する。図２は、ＯＰＤＢのデータ構造の一例を示す図である。図２に示すように、このＯＰＤＢ１３１は、オペレータを一意に識別するＯＰＩＤ（Identification）、パスワード、氏名、オペレータの保持する資格を有する。例えば、ＯＰＤＢ１３１は、オペレータの認証時に利用される。
【００１９】
入所者ＤＢ１３２は、例えば、介護対象となる入所者に関する各種の情報を保持する。図３は、入所者ＤＢのデータ構造の一例を示す図である。図３に示すように、この入所者ＤＢ１３２は、入所者を一意に識別する入所者ＩＤ、入所者の氏名を対応づけて保持する。
【００２０】
介護看護ＤＢ１３３は、入所者に対して実施した介護記録を保持する。図４は、介護看護ＤＢのデータ構造の一例を示す図である。図４に示すように、この介護看護ＤＢ１３３は、入所者ＩＤ、枝番、日付、記録者、文書情報を有する。このうち、記録者は、文書情報を入力した人物に対応する。文書情報は、例えば、申し送りと、原文とを含む。申し送り、原文に含まれる単語のうち、秘匿対象となる個人名称や機関名等には、秘匿対象となる個人名称や機関名等を一意に識別する単語識別タグが埋め込まれる。
【００２１】
単語置換テーブル１３４は、介護記録に含まれる元の単語を、どのような単語に置き換えるのかを対応づけて保持する。例えば、元の単語は、秘匿対象となる単語に対応する。図５は、単語置換テーブルのデータ構造の一例を示す図である。図５に示すように、この単語置換テーブル１３４は、秘匿単語、単語識別タグ、類似単語有無、低秘匿、中秘匿、高秘匿を有する。
【００２２】
ここで、秘匿単語は、秘匿対象となる単語を示す。単語識別タグは、個人名称を示す単語、機関名を示す単語、入所者との関係を示す単語を一意に識別するための情報である。この単語識別タグは、図４に示した介護看護ＤＢ１３３の文書情報の該当単語に埋め込まれる。類似単語有無は、類似する単語が、類似単語テーブル１３７に登録されているか否か示すものである。
【００２３】
低秘匿、中秘匿、高秘匿は、閲覧レベルに対応する。低秘匿の単語、中秘匿の単語、高秘匿の単語の順に、秘匿単語を推定し難くなる。例えば、秘匿単語「介護五郎」に対応する低秘匿の単語は「家族Ａさん」となり、中秘匿の単語は「Ａさん」となり、高秘匿の単語は「黒塗りの文字」となる。
【００２４】
閲覧レベル判定テーブル１３５は、閲覧者の種別と閲覧目的との組み合わせから、閲覧レベルを導くためのテーブルである。図６は、閲覧レベル判定テーブルのデータ構造の一例を示す図である。図６に示すように、この閲覧レベル判定テーブル１３５は、閲覧者種別と、閲覧目的と、閲覧レベルとを対応づけている。例えば、閲覧者種別が「家族」、閲覧目的が「問い合わせＡ」の場合には、閲覧レベルは「低秘匿」となる。
【００２５】
閲覧制御テーブル１３６は、閲覧レベルに対応する秘匿範囲や、秘匿処理の内容を管理するテーブルである。図７は、閲覧制御テーブルのデータ構造の一例を示す図である。図７に示すように、この閲覧制御テーブル１３６は、閲覧レベル、秘匿範囲、秘匿処理を有する。
【００２６】
ここで、秘匿範囲は、秘匿する範囲を示すものであり、例えば、秘匿範囲には、単語、文節、文書全体が存在する。秘匿処理は、秘匿処理の処理内容を示すものである。例えば、秘匿処理には、置換、黒塗り、照会否定が存在する。置換は、単語置換テーブル１３４に基づいて、秘匿単語を、閲覧レベルに応じた単語に変換する処理を示す。黒塗りは、文字を黒く塗りつぶす処理に対応する。黒塗りの範囲は、秘匿範囲に応じて異なる。秘匿範囲が単語の場合には、秘匿単語を黒く塗りつぶす。秘匿範囲が文節の場合には、秘匿単語を含む文節を黒く塗りつぶす。
【００２７】
類似単語テーブル１３７は、類似する単語を管理するテーブルである。図８は、類似単語テーブルのデータ構造の一例を示す図である。図８に示すように、この類似単語テーブル１３７は、類似する単語がグループ分けされている。例えば、暴力、喧嘩、暴行は、類似単語グループ１に属する。悪口、罵倒、罵るは、類似単語テーブル２に属する。
【００２８】
閲覧履歴情報１３８は、閲覧者が閲覧した文書の履歴を保持する。図９は、閲覧履歴情報のデータ構造の一例を示す図である。図９に示すように、この閲覧履歴情報１３８は、閲覧者種別と、閲覧した日付、閲覧内容を対応づけている。
【００２９】
図１の説明に戻る。制御部１４０は、認証部１４１、介護記録受付部１４２、特定部１４３、置換部１４４、変換部１４５を有する。例えば、制御部１４０は、ＡＳＩＣ（Application  Specific  Integrated  Circuit）や、ＦＰＧＡ（Field  Programmable  Gate  Array）などの集積装置に対応する。また、制御部１４０は、例えば、ＣＰＵやＭＰＵ（Micro  Processing  Unit）等の電子回路に対応する。
【００３０】
認証部１４１は、オペレータを認証する処理部である。認証部１４１は、ログイン要求を受け付けた場合に、入力部１１０からＯＰＩＤとパスワードとの組を取得する。認証部１４１は、取得したＯＰＩＤとパスワードとの組が、ＯＰＤＢ１３１に存在する場合には、介護記録閲覧装置１００に対するアクセスを許可する。これに対して、認証部１４１は、ＯＰＩＤとパスワードとの組が、ＯＰＤＢ１３１に存在しない場合には、介護記録閲覧装置１００に対するアクセスを拒絶し、エラーメッセージ等を表示部１２０に表示させる。
【００３１】
介護記録受付部１４２は、入力部１１０から介護記録の入力要求を受け付けた場合に、介護記録を介護看護ＤＢ１３３に登録する処理部である。
【００３２】
ここで、介護記録受付部１４２の処理の一例を説明する。まず、介護記録受付部１４２は、ログインに成功したオペレータから介護記録の入力要求を受け付けた場合に、介護記録入力画面を表示部１２０に表示させる。図１０は、介護記録入力画面の一例を示す図である。図１０に示すように、この介護記録入力画面１０は、入所者入力領域１０ａ、記録者入力領域１０ｂ、日付入力領域１０ｃ、申し送り入力領域１０ｄ、原文入力領域１０ｅ、記録ボタン１０ｆを有する。
【００３３】
入所者入力領域１０ａは、入所者の氏名を入力する領域である。記録者入力領域１０ｂは、介護記録の記録者の氏名を入力する領域である。日付入力領域１０ｃは、介護記録の入力を行った日付を入力する領域である。申し送り入力領域１０ｄは、申し送りを入力する領域である。原文入力領域１０ｅは、原文を入力する領域である。記録者は、入力部１１０を操作して、入所者入力領域１０ａ、記録者入力領域１０ｂ、日付入力領域１０ｃ、申し送り入力領域１０ｄ、原文入力領域１０ｅに情報を入力する。
【００３４】
ここで、介護記録受付部１４２は、申し送り入力領域１０ｄ、原文入力領域１０ｅに文章が入力された場合に、辞書データなどを参照して、個人名称、機関名、関係を文章から検出してハイライト表示する。記録者は、入力部１１０を操作して、個人名称、機関名、関係に単語識別タグを埋め込む。なお、介護記録受付部１４２が、自動的に、個人名称、機関名、関係に単語識別タグを埋め込んでもよい。
【００３５】
介護記録受付部１４２は、例えば、介護記録入力画面１０の記録ボタン１０ｆが押下された場合に、入所者ＩＤ、日付、申し送り、原文を対応づけて、介護看護ＤＢ１３３に記録する。なお、介護記録受付部１４２は、入所者の名前と入所者ＤＢ１３２とを比較して、入所者ＩＤを判定する。なお、記録者が入所者ＩＤを直接入力してもよい。
【００３６】
特定部１４３は、閲覧者の種別と閲覧目的に基づいて、閲覧レベルを特定する処理部である。特定部１４３は、特定した閲覧レベルを置換部１４４に通知する。
【００３７】
ここで、特定部１４３の処理の一例について説明する。特定部１４３は、入力部１１０から、介護記録の閲覧要求を受け付けた場合に、閲覧者および閲覧目的を要求する。例えば、特定部１４３は、閲覧者の種別と閲覧目的を要求する閲覧要求画面を、表示部１２０に表示させる。図１１は、閲覧要求画面の一例を示す図である。
【００３８】
図１１に示すように、閲覧要求画面１１には、閲覧種別入力領域１１ａ、閲覧目的入力領域１１ｂ、入所者入力領域１１ｃ、閲覧ボタン１１ｄを有する。閲覧種別入力領域１１ａは、閲覧者の種別を入力する領域である。閲覧目的入力領域１１ｂは、閲覧目的を入力する領域である。入所者入力領域１１ｃには、どの入所者の介護記録を閲覧するのかを入力する領域である。例えば、オペレータは、閲覧者から閲覧者の種別、閲覧目的、入所者の名前を聞き出し、入力部１１０を操作して、閲覧種別入力領域１１ａ、閲覧目的入力領域１１ｂ、入所者入力領域１１ｄに情報を入力し、閲覧ボタン１１ｄを押下する。
【００３９】
特定部１４３は、閲覧ボタン１１ｄが押下された場合に、閲覧種別入力領域１１ａ、閲覧目的入力領域１１ｂに入力された閲覧種別、閲覧目的を取得する。特定部１４３は、閲覧者の種別と閲覧目的との組と、閲覧レベル判定テーブル１３５とを比較して、閲覧レベルを特定する。例えば、閲覧者の種別が「家族」、閲覧目的が「問い合わせＡ」の場合には、閲覧レベルは「低秘匿」となる。また、特定部１４３は、入所者の氏名と、入所者ＤＢ１３２とを比較して、入所者ＩＤを特定する。特定部１４３は、閲覧者種別、閲覧レベル、入所者ＩＤを対応づけて、置換部１４４に出力する。
【００４０】
置換部１４４は、閲覧レベルに基づいて、介護記録の開示具合が異なる置換を行い、置換を行った介護記録を表示部１２０に表示させる処理部である。
【００４１】
ここで、置換部１４４の処理の一例について説明する。置換部１４４は、特定部１４３から通知を受けた入所者ＩＤと、介護看護ＤＢ１３３とを比較して、入所者ＩＤに対応する最新の介護履歴を抽出する。例えば、置換部１４４は、入所者ＩＤに対応する最新の申し受け、原文を抽出する。以下の説明において、置換部１４４が抽出した申し受けと原文を、置換対象介護記録と表記する。
【００４２】
また、置換部１４４は、特定部１４３から通知を受けた閲覧レベルと、閲覧制御テーブル１３６とを比較して、秘匿範囲と秘匿処理を判定し、判定結果に応じて、置換対象介護記録を置換する。閲覧レベルが「全て」、「低秘匿」、「中秘匿」、「高秘匿」、「指定秘匿」、「閲覧禁止」となる場合について、置換部１４４の処理を順に説明する。
【００４３】
閲覧レベルが「全て」の場合について説明する。閲覧レベルが「全て」の場合には、秘匿範囲「なし」、秘匿処理「なし」である。このため、置換部１４４は、置換対象介護記録をそのまま表示部１２０に出力する。
【００４４】
閲覧レベルが「低秘匿」の場合について説明する。閲覧レベルが「低秘匿」の場合には、秘匿範囲「単語」、秘匿処理「置換」である。置換部１４４は、置換対象介護記録と、単語置換テーブル１３４とを比較して、置換対象介護記録中の秘匿単語を特定する。そして、置換部１４４は、特定した秘匿単語を、低秘匿に対応する単語に置換する。
【００４５】
置換部１４４は、個人名称、機関名、関係に関して、置換対象介護記録中に埋め込まれた単語識別タグを利用して秘匿単語を特定し、置換する。例えば、置換部１４４は、単語識別タグ「＠１０００」が埋め込まれた単語を、「家族Ａさん」に置換する。
【００４６】
また、置換部１４４は、単語置換テーブル１３４、類似単語テーブル１３７を利用して、置換対象介護記録の単語を置換する。例えば、「暴力」、「喧嘩」、「暴行」は同じグループに属し、「暴力」に対応する低秘匿の単語は「威圧的行動」である。このため、置換部１４４は、「暴力」、「喧嘩」、「暴行」をそれぞれ「威圧的行動」に置換する。置換部１４４は、置換後の置換対象介護記録を、表示部１２０に出力する。
【００４７】
閲覧レベルが「中秘匿」の場合について説明する。閲覧レベルが「中秘匿」の場合には、秘匿範囲「単語」、秘匿処理「黒塗りまたは置換」である。置換部１４４は、置換対象介護記録と、単語置換テーブル１３４とを比較して、置換対象介護記録中の秘匿単語を特定する。そして、置換部１４４は、特定した秘匿単語を、中秘匿に対応する単語に置換する。または、秘匿単語を、黒塗りにする。ここで、どの秘匿単語を中秘匿の単語に置換し、どの秘匿単語を黒塗りにするのかは、予め、単語毎に設定されているものとする。
【００４８】
置換部１４４は、個人名称、機関名、関係に関して、置換対象介護記録中に埋め込まれた単語識別タグを利用して秘匿単語を特定し、置換する。例えば、置換部１４４は、単語識別タグ「＠１０００」が埋め込まれた単語を、「Ａさん」に置換する。
【００４９】
また、置換部１４４は、単語置換テーブル１３４、類似単語テーブル１３７を利用して、置換対象介護記録の単語を置換する。例えば、「暴力」、「喧嘩」、「暴行」は同じグループに属し、「暴力」に対応する中秘匿の単語は「行動がありました」である。このため、置換部１４４は、「暴力」、「喧嘩」、「暴行」をそれぞれ「行動がありました」に置換する。置換部１４４は、置換後の置換対象介護記録を、表示部１２０に出力する。
【００５０】
閲覧レベルが「高秘匿」の場合について説明する。閲覧レベルが「高秘匿」の場合には、秘匿範囲「文節」、秘匿処理「黒塗り」である。置換部１４４は、置換対象介護記録と、単語置換テーブル１３４とを比較して、置換対象介護記録中の秘匿単語を特定する。そして、置換部１４４は、特定した秘匿単語を含む文節を、黒塗り文字に置換する。
【００５１】
また、置換部１４４は、単語置換テーブル１３４、類似単語テーブル１３７を利用して、置換対象介護記録の単語を置換する。例えば、「暴力」、「喧嘩」、「暴行」は同じグループに属し、「暴力」に対応する高秘匿の単語は「黒塗り」である。このため、置換部１４４は、「暴力」、「喧嘩」、「暴行」を含む文節を、黒塗りにする。置換部１４４は、置換後の置換対象介護記録を、表示部１２０に出力する。
【００５２】
閲覧レベルが「指定秘匿」の場合について説明する。閲覧レベルが「指定秘匿」の場合には、秘匿範囲「指定範囲」、秘匿処理「指定単語」である。このため、置換部１４４は、予め指定された範囲を、指定された単語に置換する。置換部１４４は、置換後の置換対象介護記録を、表示部１２０に出力する。
【００５３】
閲覧レベルが「閲覧禁止」の場合について説明する。閲覧レベルが「閲覧禁止」の場合には、秘匿範囲「文書全体」、秘匿処理「照会否定」である。このため、置換部１４４は、照会否定である旨の情報を、表示部１２０に出力する。
【００５４】
変換部１４４は、「全て」、「低秘匿」、「中秘匿」、「高秘匿」、「指定秘匿」、「閲覧禁止」に応じた置換を行った後に、表示部１２０に出力した情報と、閲覧者種別と、日付とを対応づけて、閲覧履歴情報１３８に記録する。
【００５５】
ここで、置換前の置換対象介護記録と置換後の置換対象介護記録との関係の一例について説明する。図１２は、置換前の置換対象介護記録と置換後の置換対象介護記録との関係の一例を示す図である。図１２に示すものは、置換対象介護記録１２を、閲覧レベル「中秘匿」によって置換すると、置換対象介護記録１３となる。置換対象介護記録１２、１３を比較すると、「富士病院」が「医療機関」に置換されている。「長男」および「妻」が「関係者」に置換されている。「介護五郎」が「Ａさん」に置換されている。「介護由美さん」が「Ｂさん」に置換されている。「虐待」が「黒塗り」に置換されている。
【００５６】
変換部１４５は、置換後の置換対象介護記録が表示部１２０に表示された後に、秘匿単語が指定され、変換要求を受け付けた場合に、元の単語の意味がより推定可能な単語に段階的に変換する。例えば、指定された秘匿単語が、「高秘匿」の単語に置き換えられている場合には、変換部１４５は、変換要求がある度に、「中秘匿」の単語、「低秘匿」の単語、元の単語の順に、変換する。変換部１４５は、単語置換テーブル１３４に基づいて、変換を行う。
【００５７】
図１３は、変換部の処理の一例を示す図である。図１３に示すように、変換部１４５は、「Ｂさん」を「家族Ｂさん」に変換し、「家族Ｂさん」を「介護由美さん」に変換する。なお、変換部１４５は、変換を行う場合に、ＯＰＩＤとパスワードを要求して認証を行った後に、秘匿単語の変換を行うものとする。
【００５８】
次に、介護記録閲覧装置１００が、介護記録の入力を受け付ける処理の一例について説明する。図１４は、介護記録の入力を受け付ける処理の処理手順を示すフローチャートである。例えば、図１４に示す処理は、介護記録の入力要求を受け付けたことを契機として実行される。
【００５９】
図１４に示すように、介護記録閲覧装置１００は、ログインを受け付け（ステップＳ１０１）、入所者を受け付ける（ステップＳ１０２）。介護記録閲覧装置１００は、介護記録を受け付け（ステップＳ１０３）、単語識別タグを登録し（ステップＳ１０４）、介護看護ＤＢ１３３に介護記録を記録する（ステップＳ１０５）。
【００６０】
次に、介護記録閲覧装置１００が、介護記録を表示する処理の一例について説明する。図１５は、介護記録を表示する処理の処理手順を示すフローチャートである。例えば、図１５に示す処理は、介護記録の表示要求を、受け付けたことを契機として実行される。
【００６１】
図１５に示すように、介護記録閲覧装置１００は、ログインを受け付け（ステップＳ２０１）、閲覧者種別、閲覧目的、入所者ＩＤを受け付ける（ステップＳ２０２）。介護記録閲覧装置１００は、閲覧レベルを特定し（ステップＳ２０３）、最新の介護記録を読み出す（ステップＳ２０４）。
【００６２】
介護記録閲覧装置１００は、介護記録と単語置換テーブルとをマッチングし（ステップＳ２０５）、秘匿処理を行う（ステップＳ２０６）。介護記録閲覧装置１００は、秘匿処理を行った介護記録を表示し（ステップＳ２０７）、閲覧履歴情報１３８を更新する（ステップＳ２０８）。
【００６３】
介護記録閲覧装置１００は、秘匿単語が選択され（ステップＳ２０９）、ＯＰＩＤとパスワードを受け付ける（ステップＳ２１０）。変換しない場合には（ステップＳ２１１，Ｎｏ）、処理を終了する。
【００６４】
一方、介護記録閲覧装置１００は、変換する場合には（ステップＳ２１１，Ｙｅｓ）、閲覧レベルを確認する（ステップＳ２１２）。介護記録閲覧装置１００は、秘匿範囲を確認し（ステップＳ２１３）、一つ下の閲覧レベルの単語に変換し（ステップＳ２１４）、再度ステップＳ２１１に移行する。
【００６５】
次に、本実施例にかかる介護記録閲覧装置１００の効果について説明する。介護記録閲覧装置１００は、介護記録を表示する場合に、閲覧者種別と閲覧目的との組に応じて、閲覧レベルを特定する。そして、介護記録閲覧装置１００は、閲覧レベルに応じて、介護記録の開示具合が異なる置換を行い、置換を行った介護記録を出力する。このため、介護記録閲覧装置１００によれば、秘匿性を維持しつつ、情報公開が必要な閲覧者には必要な情報を公開できる。
【００６６】
また、介護記録閲覧装置１００は、閲覧レベルに基づいて、介護記録に含まれる単語または文章を抽象的な表現に段階的に置換する。このため、介護記録閲覧装置１００によれば、閲覧者に応じて、介護記録の文章表現をぼかして文意のみ伝えることができる。
【００６７】
また、介護記録閲覧装置１００は、閲覧レベルに基づいて、前記介護記録に含まれる単語または文章を隠匿する。このため、介護記録閲覧装置１００によれば、閲覧者に応じて、表示することが好ましくない文書、単語を完全に隠匿することができる。
【００６８】
また、介護記録閲覧装置１００によれば、秘匿単語の変換要求を受け付けた場合に、現在の単語よりもより元の単語の意味が推定可能な単語に段階的に変換するので、秘匿単語を見る権限を有する閲覧者は、効率的に秘匿単語の具体的な意味を知ることができる。
【００６９】
ところで、介護記録閲覧装置１００の各構成要素は機能概念的なものであり、必ずしも物理的に図示の如く構成されていることを要しない。すなわち、介護記録閲覧装置１００の分散、統合の具体的形態は図示のものに限られず、その全部または一部を、各種の負荷や使用状況などに応じて、任意の単位で機能的または物理的に分散・統合して構成することができる。例えば、図１の各処理部１４１〜１４５の機能をまとめて、単一の処理部としてもよい。
【００７０】
次に、図１に示した介護記録閲覧装置１００と同様の機能を実現する介護記録閲覧プログラムを実行するコンピュータの一例を説明する。図１６は、介護記録閲覧プログラムを実行するコンピュータの一例を示す図である。
【００７１】
図１６に示すように、コンピュータ２００は、各種演算処理を実行するＣＰＵ２０１と、ユーザからのデータの入力を受け付ける入力装置２０２と、ディスプレイ２０３を有する。また、コンピュータ２００は、記憶媒体からプログラム等を読取る読み取り装置２０４と、ネットワークを介して他のコンピュータとの間でデータの授受を行うインターフェース装置２０５とを有する。また、コンピュータ２００は、各種情報を一時記憶するＲＡＭ２０６と、ハードディスク装置２０７を有する。そして、各装置２０１〜２０７は、バス２０８に接続される。
【００７２】
ハードディスク装置２０７には、特定プログラム２０７ａ、置換プログラム２０７ｂ、変換プログラム２０７ｃを有する。ＣＰＵ２０１は、各プログラム２０７ａ〜２０７ｃを読み出して、ＲＡＭ２０６に展開する。特定プログラム２０７ａは、特定プロセス２０６ａとして機能する。置換プログラム２０７ｂは、置換プロセス２０６ｂとして機能する。変換プログラム２０７ｃは、置換プロセス２０６ｃとして機能する。
【００７３】
例えば、特定プロセス２０６ａは、特定部１４３に対応する。置換プロセス２０６ｂは、置換部１４４に対応する。変換プロセス２０６ｃは、変換部１４５に対応する。
【００７４】
なお、各プログラム２０７ａ〜２０７ｃについては、必ずしも最初からハードディスク装置２０７に記憶させておかなくてもよい。例えば、コンピュータ２００に挿入されるフレキシブルディスク（ＦＤ）、ＣＤ−ＲＯＭ、ＤＶＤディスク、光磁気ディスク、ＩＣカードなどの「可搬用の物理媒体」に各プログラムを記憶させておく。そして、コンピュータ２００がこれらから各プログラムを読み出して実行するようにしてもよい。
【００７５】
以上の各実施例を含む実施形態に関し、さらに以下の付記を開示する。
【００７６】
（付記１）コンピュータに、
記憶装置に記憶された介護記録を閲覧する閲覧者の種別または閲覧の目的を受け付け、
閲覧者の種別または閲覧の目的に対応する閲覧レベルを導く閲覧レベル判定テーブルに基づいて、前記受け付けた閲覧者の種別または閲覧の目的から閲覧レベルを特定し、
閲覧レベルに対応する秘匿範囲および秘匿処理内容を管理する閲覧制御テーブルに基づいて、特定した閲覧レベルから秘匿範囲と秘匿処理内容を抽出し、
抽出した秘匿範囲と秘匿処理内容に基づいて、前記介護記録の開示具合が異なる置換を行い、
置換を行った介護記録を出力する
各処理を実行させることを特徴とする介護記録閲覧プログラム。
【００７７】
（付記２）前記介護記録を出力する処理は、特定された閲覧レベルに基づいて、前記介護記録に含まれる単語または文章を抽象的な表現に段階的に置換することを特徴とする付記１に記載の介護記録閲覧プログラム。
【００７８】
（付記３）前記介護記録を出力する処理は、特定された閲覧レベルに基づいて、前記介護記録に含まれる単語または文章を隠匿することを特徴とする付記１または２に記載の介護記録閲覧プログラム。
【００７９】
（付記４）前記記憶装置は、元の単語と、前記閲覧レベルに対応する元の単語を推測可能な単語または推測不可能な単語とを対応づけて記憶する単語置換テーブルを更に記憶し、
前記介護記録に含まれる置換後の単語が選択され、該単語の変換要求を受け付けた場合には、選択された単語と前記単語置換テーブルとを基にして、選択された単語よりもより元の単語の意味が推定可能な単語に段階的に変換する処理を更にコンピュータに実行させることを特徴とする付記１、２または３に記載の介護記録閲覧プログラム。
【００８０】
（付記５）記憶装置に記憶された介護記録を閲覧する閲覧者の種別または閲覧の目的を受け付け、
閲覧者の種別または閲覧の目的に対応する閲覧レベルを導く閲覧レベル判定テーブルに基づいて、前記受け付けた閲覧者の種別または閲覧の目的から閲覧レベルを特定する特定部と、
前記閲覧レベルに対応する秘匿範囲および秘匿処理内容を管理する閲覧制御テーブルに基づいて、特定した閲覧レベルから秘匿範囲と秘匿処理内容を抽出し、抽出した秘匿範囲と秘匿処理内容に基づいて、前記介護記録の開示具合が異なる置換を行い、置換を行った介護記録を出力する置換部と
を有することを特徴とする介護記録閲覧装置。
【００８１】
（付記６）前記置換部は、前記特定部によって特定された閲覧レベルに基づいて、前記介護記録に含まれる単語または文章を抽象的な表現に段階的に置換することを特徴とする付記５に記載の介護記録閲覧装置。
【００８２】
（付記７）前記置換部は、前記特定部によって特定された閲覧レベルに基づいて、前記介護記録に含まれる単語または文章を隠匿することを特徴とする付記５または６に記載の介護記録閲覧装置。
【００８３】
（付記８）前記記憶装置は、元の単語と、前記閲覧レベルに対応する元の単語を推測可能な単語または推測不可能な単語とを対応づけて記憶する単語置換テーブルを更に記憶し、
前記介護記録に含まれる置換後の単語が選択され、該単語の変換要求を受け付けた場合には、選択された単語と前記単語置換テーブルとを基にして、選択された単語よりもより元の単語の意味が推定可能な単語に段階的に変換する変換部を更に有することを特徴とする付記５、６または７に記載の介護記録閲覧装置。
【００８４】
（付記９）コンピュータが実行する介護記録閲覧方法であって、
記憶装置に記憶された介護記録を閲覧する閲覧者の種別または閲覧の目的を受け付け、
閲覧者の種別または閲覧の目的に対応する閲覧レベルを導く閲覧レベル判定テーブルに基づいて、前記受け付けた閲覧者の種別または閲覧の目的から閲覧レベルを特定し、
閲覧レベルに対応する秘匿範囲および秘匿処理内容を管理する閲覧制御テーブルに基づいて、特定した閲覧レベルから秘匿範囲と秘匿処理内容を抽出し、
抽出した秘匿範囲と秘匿処理内容に基づいて、前記介護記録の開示具合が異なる置換を行い、
置換を行った介護記録を出力する
各処理を実行することを特徴とする介護記録閲覧方法。
【００８５】
（付記１０）前記介護記録を出力する処理は、特定された閲覧レベルに基づいて、前記介護記録に含まれる単語または文章を抽象的な表現に段階的に置換することを特徴とする付記９に記載の介護記録閲覧方法。
【００８６】
（付記１１）前記介護記録を出力する処理は、特定された閲覧レベルに基づいて、前記介護記録に含まれる単語または文章を隠匿することを特徴とする付記９または１０に記載の介護記録閲覧方法。
【００８７】
（付記１２）前記記憶装置は、元の単語と、前記閲覧レベルに対応する元の単語を推測可能な単語または推測不可能な単語とを対応づけて記憶する単語置換テーブルを更に記憶し、
前記介護記録に含まれる置換後の単語が選択され、該単語の変換要求を受け付けた場合には、選択された単語と前記単語置換テーブルとを基にして、選択された単語よりもより元の単語の意味が推定可能な単語に段階的に変換する処理を更にコンピュータに実行させることを特徴とする付記９、１０または１１に記載の介護記録閲覧方法。
【符号の説明】
【００８８】
１００  介護記録閲覧装置
１１０  入力部
１２０  表示部
１３０  記憶部
１４０  制御部
【図１】
2012208703.tif 000003
【図２】
2012208703.tif 000004
【図３】
2012208703.tif 000005
【図４】
2012208703.tif 000006
【図５】
2012208703.tif 000007
【図６】
2012208703.tif 000008
【図７】
2012208703.tif 000009
【図８】
2012208703.tif 000010
【図９】
2012208703.tif 000011
【図１０】
2012208703.tif 000012
【図１１】
2012208703.tif 000013
【図１２】
2012208703.tif 000014
【図１３】
2012208703.tif 000015
【図１４】
2012208703.tif 000016
【図１５】
2012208703.tif 000017
【図１６】
2012208703.tif 000018